(57)【要約】【課題】やり直し、撮りなおしをせずに、予め、多重露光される合成画像のフレーミングを行うことができるデジタルカメラを提供する。【解決手段】多重露光モードが選択されたら、スルー画像１が表示される。ここでレリーズ釦が半押しされていればスタンバイ状態になり、全押しされればプレビュー画面のプレビュー１の表示を行う。プレビュー１に表示された画像を、操作キーの操作に応じてＤＳＰ内の記憶部に記憶し、スルー画像２の処理に移る。スルー画像２が表示されているときにレリーズ釦が半押しを経て全押しされたらプレビュー２が表示される。そのプレビュー２の画面が表示されているときにスルー画像２の画像の一部に、上記記憶部に記憶されたスルー画像１の縮小画像を合成して表示する。【選択図】　　　　図３
2004023165.tif 000002
【特許請求の範囲】
【請求項１】
被写体を撮像素子上に結像させて該被写体を表わす画像を得るデジタルカメラにおいて、
このデジタルカメラは、複数回の撮影操作により得られた複数の画像を重ねた多重露光画像を生成する多重露光モードを有するデジタルカメラであって、
撮像素子により取り込まれた画像を表示する表示画面と、
多重露光モード中、前記表示画面に、前記撮像素子により現在取り込まれたスルー画像と前回の撮影により得られた画像の縮小画像とを合成した合成画像を表示させる画像表示制御部とを備えたことを特徴とするデジタルカメラ。
【請求項２】
被写体を撮像素子上に結像させて該被写体を表わす画像を得るデジタルカメラにおいて、
このデジタルカメラは、複数回の撮影操作により得られた複数の画像を重ねた多重露光画像を生成する多重露光モードを有するデジタルカメラであって、
撮像素子により取り込まれた画像を表示する表示画面と、
多重露光モード中、所定の操作に応じて、前記表示画面に、撮像素子により現在取り込まれたスルー画像と、前回の撮影により得られた画像とを交互に表示させる画像表示制御部とを備えたことを特徴とするデジタルカメラ。
【請求項３】
撮影時に半押しと全押しとを区別して認識させる撮影ボタンを備え、
前記画像表示制御手段は、前記撮影ボタンの半押しを前記所定の操作として認識して、該撮影ボタンが半押し状態にある間、前記表示画面に、撮像素子により現在取り込まれたスルー画像と、前回の撮影により得られた画像とを交互に表示させるものであることを特徴とする請求項２記載のデジタルカメラ。
【請求項４】
前記画像表示制御部は、多重露光モード中、前記合成画像とともにフレーミングを補助する縦横の線分からなるベストフレーミング枠を表示するものであることを特徴とする請求項２記載のデジタルカメラ。
【発明の詳細な説明】
【０００１】
【発明の属する技術分野】
本発明は、被写体を撮像素子上に結像させて該被写体を表わす画像を得るデジタルカメラに関する。
【０００２】
【従来の技術】
従来のデジタルカメラには多重露光モードを有するものがある。この多重露光モードでは、過去に撮影した画像と現在撮影されている画像とが重ねられ、合成画像が得られる。このような合成画像を得たい場合にはユーザにより多重露光モードが選択され撮影が行なわれる。現行の多重露光モードでは表示装置の表示画面に、多重露光された画像を表示させ、ユーザに合成画像がどのようなものであるかを認識させることが行われている。この表示画面に表示された合成画像が自分の求めていたものである場合にはユーザ操作によりその合成画像が記録メディアに記録される。また表示画面に表示された合成画像が自分の求めていたものとは異なる場合には、ユーザ操作によりその合成画像が廃棄され、再度やり直して多重露光モードでの撮影が行なわれる。このような多重露光モードを有するカメラには特開平１０−２６８４１３号公報に記載のものや特開２０００−３２１６３５号公報に記載のものや特開平６−１２１２２２号公報に記載のものや特開２０００−５６３５８号公報に記載のものなどがある。
【０００３】
特開平１０−２６８４１３号公報には、被写体像を銀塩フィルムに写しこむことが可能なカメラであって、多重露光を行う回数がユーザにより設定され、その設定された露光回数にいたるまで銀塩フィルムの給送が止められ、その銀塩フィルムの給送がとめられている間に、カメラの撮影方向を定めて得られる被写体像が多重に銀塩フィルムに露光されていく技術が紹介されている。この公報では多重露光された画像が表示画面に表示され、撮影のアシストとして表示画面が利用されている。また、特開２０００−３２１６３５号公報には前述した公報に記載されたものと同様のものが開示されている。この公報には画像の合成形態を変更することが可能なものが紹介されており、さらにこの合成形態の変更に伴い、２回目以降の撮影においては銀塩フィルムへの露光量の変更が可能なものが紹介されている。さらに特開平６−１２１２２２号公報にも、多重露光され合成された画像が表示装置の表示画面に表示されるものが紹介されており、特開平１０−２６８４１３号公報には、既に撮影された画像どうしが合成されるものも紹介されている。
【０００４】
【発明が解決しようとする課題】
このように様々な多重露光機能を有するカメラが知られてはいるが、そのほとんどのものが多重露光を行った後になって初めてユーザに合成画像がどのようなものであるかが認識されるものが多い。したがって、多重露光された合成画像が自分の求めている画像とは異なるものであるかどうかが撮影した後になって初めて確認され、その合成画像が自分の求めている画像とは異なっていた場合には、再度、最初からやり直して多重露光撮影を行わなければならないという欠点がある。
【０００５】
そこで本発明は、やり直し、撮りなおしをせずに、予め、多重露光される合成画像のフレーミングを行うことができるデジタルカメラを提供することを目的とする。
【０００６】
【課題を解決するための手段】
上記目的を達成する本発明の第１のデジタルカメラは、被写体を撮像素子上に結像させて該被写体を表わす画像を得るデジタルカメラにおいて、
このデジタルカメラは、複数回の撮影操作により得られた複数の画像を重ねた多重露光画像を生成する多重露光モードを有するデジタルカメラであって、
撮像素子により取り込まれた画像を表示する表示画面と、
多重露光モード中、前記表示画面に前記撮像素子により現在取り込まれたスルー画像と前回の撮影により得られた画像の縮小画像とを合成した合成画像を表示させる画像表示制御部とを備えたことを特徴とする。
【０００７】
上記発明の第１のカメラによれば、スルー画像と前回の撮影により得られた画像の縮小画像とを合成した合成画像が表示されると、ユーザが自ら決める撮影画角内のスルー画像がどのように前回の撮影により得られた画像に多重露光されるかが、一目で分かるようになる。
【０００８】
また、上記目的を達成する本発明の第２のデジタルカメラは、被写体を撮像素子上に結像させて該被写体を表わす画像を得るデジタルカメラにおいて、
このデジタルカメラは、複数回の撮影操作により得られた複数の画像を重ねた多重露光画像を生成する多重露光モードを有するデジタルカメラであって、
撮像素子により取り込まれた画像を表示する表示画面と、
多重露光モード中、所定の操作に応じて、前記表示画面に、撮像素子により現在取り込まれたスルー画像と、前回の撮影により得られた画像とを交互に表示させる画像表示制御部とを備えたことを特徴とする。
【０００９】
本発明の第２のデジタルカメラによれば、所定の操作に応じてスルー画像と前回の撮影により得られた画像とを交互に表示させることにより、多重露光される画像がどのようなものであるかをユーザに認識させることが可能になる。
【００１０】
ここで、上記第２のデジタルカメラは、被写体を撮像素子上に結像させて該被写体を表わす画像を得るデジタルカメラにおいて、
撮影時に半押しと全押しとを区別して認識させる撮影ボタンを備え、
上記画像表示制御部は、撮影ボタンの半押しを上記所定の操作として認識して撮影ボタンが半押し状態にある間、表示画面に、撮像素子により現在取り込まれたスルー画像と、前回の撮影により得られた画像とを交互に表示させるものであることを備えることが好ましい。
【００１１】
このように撮影ボタンの半押しと全押しとを区別して上記画像表示制御部に認識させ、半押し操作でスルー画像と前回の撮影により得られた画像とを交互に表示させれば、表示画面にスルー画像と前回撮影した画像とを交互に表示させて多重露光されるものがどのようなものであるかをユーザに認識させることができ、さらにユーザに認識された画像が自分の求めている画像である場合には上記撮影ボタンを半押し状態から全押しすれば簡単に画像を重ねて露光することができる。また自分の求めている画像とは異なる場合には全押しをせずに、半押しのままで、次のスルー画像と前々回の撮影により得られた画像の表示を交互に行うと、新たな合成画像をユーザに認識させることもできる。
【００１２】
ここで、前記画像表示制御部は、多重露光モード中、前記合成画像とともにフレーミングを補助する縦横の線分からなるベストフレーミング枠を表示するものであることが好ましい。
【００１３】
このように多重露光される画像にベストフレーミング枠が付加されて表示されると、ユーザに自分の求めている画像かどうかがより鮮明に認識される。
【００１４】
【発明の実施の形態】
以下、本発明の実施形態について説明する。
【００１５】
図１は本発明の実施形態を示す第１のデジタルカメラの外観図である。図１（ａ）は正面図、（ｂ）は上面図、（ｃ）は側面図、（ｄ）は背面図である。
【００１６】
図１（ａ）〜（ｃ）に示すデジタルカメラ１００はレンズ１０１からカメラ１００内部に配備されているＣＣＤ固体撮像素子１１０まで被写体の像が導かれるようになっている。
【００１７】
図１（ｄ）に示すように本実施形態の第１のデジタルカメラ１００の背面にはユーザがこのデジタルカメラ１００を使用するときにいろいろな操作を行うための操作部が設けられている。
【００１８】
この操作部には操作用のスイッチ群とＬＣＤ画面１０５ａが設けられている。操作スイッチ群にはデジタルカメラを作動させるための電源投入用のパワースイッチ１０２、撮影と再生とを自在に切替える撮影・再生切替レバー１０３、実行キー１０６ａ、キャンセルキー１０６ｂ、十字キー１０７および閃光発光部１０４のポップアップスイッチ１０８などがある。この十字キー１０７の内側には表示部１０７ａが設けられていてＬＣＤ画面１０５ａに表示される選択メニューの項目が十字キー１０７によって選択できるようになっている。さらにはＬＣＤ画面１０５ａの表示、非表示の切替を行うための表示キー１０５１も設けられている。
【００１９】
また、図１（ｂ）に示すようにこのデジタルカメラ１００の上方にはレリーズ釦１０９が配備されている。このレリーズ釦１０９が全押しされると撮影の開始指示がデジタルカメラ内部の後述する信号処理部へと伝えられる。なお、このデジタルカメラにはレリーズ釦１０９の半押しと全押しの二つの操作態様があり、これらの操作態様に応じた状態がそれぞれデジタルカメラ１００内で別々の状態として認識されるようになっている。
【００２０】
さらにこのデジタルカメラ１００では撮影・再生切替レバー１０３によって撮影と再生との切替が自在になっていて、撮影を行うときにはユーザによって撮影・再生切替レバー１０３が撮影側１０３ａに切り替えられ、再生を行うときには撮影・再生切替レバー１０３が再生側１０３ｂに切り替えられる。また、夜間撮影も行えるように閃光発光装置１０４が配備されている。
【００２１】
図２はデジタルカメラ１００の内部に配備された信号処理部の構成ブロック図である。図２を参照してデジタルカメラ１００内にある信号処理部の構成を説明する。なお、図２にはＣＣＤ固体撮像素子１１０のことをＣＣＤと記してある。
【００２２】
本実施形態のデジタルカメラ１００ではすべての処理がＣＰＵ１１１によって制御されていて、このＣＰＵ１１１の制御のもとにＤＳＰ１１２によってＣＣＤ固体撮像素子１１０で得られた画像データの処理が行われる。このＣＰＵ１１１とＤＳＰ１１２とは図示しないバスで接続されており、このバスを介してデータのやりとりが行われる。また、ＣＰＵ１１１にはＳＤＲＡＭ１１３とＦＬＡＳＨＲＯＭ１１４とが接続されており、ＳＤＲＡＭ１１３にはＤＳＰ１１２で処理が行われる画像データが記憶され、ＦＬＡＳＨＲＯＭ１１４にはＣＰＵ１１１に処理を実行させるためのプログラムが記憶されている。図２にはＤＳＰ１１２側へＳＤＲＡＭ１１３に記憶された画像データの読み出しが行われることが矢印で示されている。
【００２３】
このＣＰＵ１１１の入力部には、図１に示した各種キーおよび各種スイッチの操作に応じた電気信号が入力される。図２ではこれらの各種キーおよび各種スイッチを、キーを示すＫＥＹ、スイッチを示すＳＷ…を用いてＫＥＹ，ＳＷ…と示してある。この各種スイッチを示すキーＫＥＹ、スイッチＳＷ…１１５には、図１に示したパワースイッチ１０２、撮影・再生切替スイッチ１０３、表示キー１０５１、実行キー１０６ａ、キャンセルキー１０６ｂ、上キー１０７１、右キー１０７２、下キー１０７３、左キー１０７４の４つのキーで構成される十字キー１０７、レリーズ釦１０９に同期して作動するシャッタスイッチなどがある。このシャッタスイッチにはレリーズ釦１０９の半押し状態と全押し状態とが区別されるように二つの接点が備えられており、レリーズ釦１０９の半押し状態は撮影のスタンバイ状態を示すものとしてＣＰＵ１１１に認識される。
【００２４】
また、本実施形態のデジタルカメラ１００ではＬＣＤ画面１０５ａに表示メニューの表示が可能な構成になっており、そのメニューで表示される項目の選択が上記十字キー１０７により行われる。
【００２５】
この十字キー１０７ではＬＣＤ画面１０５ａに表示される選択メニューの、複数の項目の中のいずれかが選択できるようになっている。図１に示した十字キーの４つのキーのうち、上キー１０７１が押されたら上方向へＬＣＤ画面１０５ａに表示されたカーソルが移動し、右キー１０７２が押されたらカーソルが右方向へ移動する構成になっている。これらのキー１０７１〜１０７４が押されたときに、それらのキー１０７１〜１０７４が押されたことがＣＰＵ１１１に認識され、ＣＰＵ１１１では４つのキー１０７１〜１０７４のうち、いずれかのキーが押されたことに基づいてバスを経由させてＬＣＤ画面１０５ａへカーソルの移動指示が転送される。そうすると複数表示されている項目の中のいずれかにカーソルが移動してそれらの項目の中のいずれかがその移動したカーソルにより選択される。カーソルが項目の中のいずれかに置かれた状態で実行キー１０６ａが押されればその項目が実行される。したがってユーザはＬＣＤ画面１０５ａに表示されたカーソルにより、選択メニューの中の、複数の項目のいずれかを選択することができる。この表示メニューの中には多重露光モードの項目があり、その多重露光モードが選択されたら、ＣＰＵ１１１からＤＳＰ１１２へ多重露光モードであることが告げられ、ＤＳＰ１１２で多重露光の処理のプロセスが起動される。ＤＳＰ１１２ではスルー画像の処理とともに、レリーズ釦１０９の操作態様に応じて前回の撮影により得られた画像の縮小処理が行われ、スルー画像の一部にその縮小された画像が置換された合成画像データが生成される。この生成された合成画像データに基づいて、ＬＣＤ画面１０５ａに合成画像が表示される。このＣＰＵ１１１とＤＳＰ１１２が本発明にいう画像表示制御手段に当たる。
【００２６】
このような表示が行われているときに、図１に示した実行キー１０６ａ、キャンセルキー１０６ｂ、右キー１０７２、左キー１０７４といったキー操作により前回の撮影により得られた画像に、スルー画像を多重して記録する、あるいは多重しては記録しないといった選択が行なわれる。
【００２７】
また、閃光発光装置のポップアップ用のスイッチ１０８も接続されていて、このスイッチ１０８が押されると、閃光発光部１０４がポップアップされる。
【００２８】
また、撮影・再生切替レバー１０３が再生側１０３ｂに切り替えられると記録メディアからの再生が行われる。このときには撮影を行うための指示を行うレリーズ釦などからの信号が入力されても処理は行われない。
【００２９】
次にＣＰＵ１１１の出力部を説明する。
【００３０】
出力部にはタイミングジェネレータ（以下ＴＧという）１１６、フォーカスレンズ１１８を駆動するためのモータドライバ（以下ＤＲＶという）１１７が接続されている。また、閃光発光部１０４に閃光発光を行わせる閃光発光装置１０４ａもＣＰＵ１１１に接続されている。
【００３１】
まずユーザが撮影を行うときにＣＰＵ１１１の出力部からどのような信号が出力されるかを説明する。撮影を行うときにはＬＣＤ画面１０５ａ上に被写体像が被写体の動きにあわせて表示されている。この表示されている被写体の像を見ながら、ユーザによりフレーミングが行なわれ、レリーズ釦１０９が全押しされたら撮影が行なわれる。このレリーズ釦１０９が全押しされたら、ＣＰＵ１１１では撮影開始を指示する信号がＴＧ１１６へ出力される。ＴＧ１１６ではこの指示を受けてＣＣＤ固体撮像素子１１０へレリーズ釦１０９が押下されたことを知らせる信号が供給される。この信号を受けてＣＣＤ固体撮像素子１１０ではレリーズ釦１０９が全押しされたときにＣＣＤ固体撮像素子１１０によって撮像されていた画像データがＲＧＢ信号として出力される。
【００３２】
ここからはＣＣＤ固体撮像素子１１０で撮像された撮像信号がどのように処理されるかを、順を追って説明する。
【００３３】
ＣＣＤ固体撮像素子１１０で得られた撮像信号はＲＧＢ信号となってＣＤＳおよびＡ／Ｄ部１１９へ供給される。このＣＤＳおよびＡ／Ｄ部１１９で雑音の低減が行われてからデジタル信号に変換され、デジタルのＲＧＢ信号となってＤＳＰ１１２へ供給される。このＤＳＰ１１２内には画像信号処理部、圧縮処理部、ＡＥ（ＡｕｔｏＥｘｐｏｓｕｒｅ）検出部、ＡＷＢ（Ａｕｔｏ　Ｗｈｉｔｅ　Ｂａｌａｎｃｅ）検出部、ビデオエンコーダ、音声信号処理部などの各信号処理部が包含されている。したがってこのＤＳＰ１１２でＣＣＤ固体撮像素子１１０で得られたＲＧＢ信号からなる画像データに一連の処理が施され、その処理が施された画像データがＬＣＤ１０５、記録メディア１３０といった出力機器へ出力される。音声についてはマイク、スピーカといった音声入出力機器に必要な音声信号の処理がＤＳＰ１１２で行われる。この実施形態のデジタルカメラ１００ではマイクからの音声信号がＡＵＤＩＯ　Ｉ／Ｆ１４０を介してＤＳＰ１１２で受け取られ、この受け取られた信号が一旦、ＤＳＰ１１２内に記憶され、必要に応じてその記憶された音声信号がＡＵＤＩＯ　Ｉ／Ｆ１２０を介してスピーカへ供給される。ＤＳＰ１１２内の音声信号処理部は本実施形態のデジタルカメラでムービ撮影が行われる場合などに利用される。
【００３４】
以上がＣＣＤ固体撮像素子１１０により得られた撮影信号の流れである。
【００３５】
前述した撮影・再生切替レバー１０３が撮影側１０３ａに切り替えられ、撮影が行われるときの画像データの流れを詳細に説明する。
【００３６】
撮影が行われるときには、ＣＰＵ１１１の入力部に接続されている撮影・再生切替レバー１０３が撮影側１０３ａに切り替えられる。
【００３７】
このようなデジタルカメラ１００ではレリーズ釦１０９が押されていなくてもＬＣＤ１０５の表示画面１０５ａに撮影レンズが向けられた方向の被写体像がスルー画像として常に表示されている。この表示されているスルー画像は、ＣＣＤ固体撮像素子１１０から所定の間隔ごとに読み出されるＲＧＢ信号から成る画像データがＤＳＰ１１２内の画像信号処理部でＹＣ信号に変換され、そのＹＣ信号がＤＳＰ１１２内のビデオエンコーダを経由してＬＣＤ１０５に供給されて得られるものである。このようなスルー画像の表示が行われているときにはスルー画像ごとにＤＳＰ１１２で露出調節、焦点調節といったカメラ特有の信号処理が行われている。
【００３８】
ここで自分が求めている被写体がＬＣＤ画面１０５ａにスルー画像として表示されていたら、ユーザによりレリーズ釦１０９が全押しされる。ユーザによってレリーズ釦１０９が全押しされるとＣＰＵ１１１からＴＧ１１２に対して撮影の開始指示が出される。この開始指示を受けてＣＣＤ固体撮像撮像素子１１０ではＲＧＢ信号が出力される。なお、前述したようにレリーズ釦１０９には半押しと全押しの二つの操作態様があり、一気に全押しされたときであってもレリーズ釦１０９が半押しされた状態もＣＰＵ１１１では認識され、一瞬半押し状態になった時点では撮影スタンバイの状態になっている。
【００３９】
この出力されたＲＧＢ信号はＣＤＳおよびＡ／Ｄ変換部１１９でデジタル信号に変換され、ＤＳＰ１１２内の画像入力コントローラによってＤＳＰ１１２側へ導かれ、その導かれたＲＧＢ信号がＤＳＰ１１２内のバスを介してＳＤＲＡＭ１２１に供給され、ＳＤＲＡＭ１２１にデジタル信号のＲＧＢ信号が書き込まれる。そしてすべての画像データに対応するＲＧＢ信号の取り込みが完了したら、今度はＳＤＲＡＭ１２１からＲＧＢ信号が読み出されてＤＳＰ１１２に供給される。ＤＳＰ１１２ではＲＧＢ信号からＹＣ信号への変換が行なわれ、さらにＤＳＰ１２１内で圧縮された画像データがインタフェース（以下、Ｉ／Ｆという）を介して記録メディア１３０に供給され、この記録メディア１３０に画像データがＪＰＥＧ圧縮ファイルとして記録される。
【００４０】
なおＤＳＰ１１２とＣＰＵ１１１とはバスによって接続されており、このバスを介してアドレス、データのやりとりが行われる。ＣＰＵ１１１には内部にレジスタが各種用意されており、これらのレジスタの内容が各信号処理部の処理の進行状況に応じて書き換えられる。ＣＰＵ内１１１ではこのレジスタの内容を判読してＦＬＡＳＨＲＯＭ１１４内に格納されているプログラムの手順にしたがった処理が行われる。
【００４１】
本実施形態のデジタルカメラ１００は多重露光モードを有しているので、この多重露光モードがＬＣＤ画面１０５ａに表示された選択メニューから十字キー１０７の操作により選択された場合の処理を図２を参照して説明する。
【００４２】
まず多重露光モードが選択されたら、ＣＰＵ１１１からＤＳＰ１１２へ多重露光モードへ移行させるための指示が出される。そうするとＤＳＰ１１２では通常の撮影モードの処理のプロセスから多重露光モードの処理のプロセスへの切替が行われる。通常の撮影モードではスルー画像をあらわす画像データがＬＣＤ１０５に供給されるが、多重露光モードではスルー画像をあらわす画像データと、前回の撮影により得られた画像データとがレリーズ釦１０９が全押しされると合成されてＬＣＤ１０５に供給される。ここでスルー画像とは所定の間隔ごとにＣＣＤ固体撮像素子１１０から読み出された画像データがＤＳＰ１１２で処理され、出力されるものであり、撮影レンズ１０１が向けられた方向に合わせて得られる被写体像が所定の間隔ごとにＣＣＤ固体撮像素子１１０から読み出されて得られるものである。このスルー画像の処理にあっては、ＤＳＰ１１２内で露出調整、焦点調節といったカメラ特有の信号処理が絶えず行われている。
【００４３】
選択メニューで多重露光モードが選択され、レリーズ釦１０９が半押し状態を経て全押しされると、前回撮影した画像データが縮小され、スルー画像の一部にその縮小された画像データが合成され、ＬＣＤ画面１０５ａ上にプレビュー画面として表示される。この前回の撮影により得られた縮小画像がスルー画像の一部に置換され、合成されるときには、その縮小画像のサイズおよび位置が表示キー１０５１の操作に基づき変更可能である。そしてこの合成された画像データがＬＣＤ１０５に供給され、ＬＣＤ画面１０５ａにその合成された画像データに基づいた合成画像が予め多重露光される画像を確認するためのプレビュー画面に表示される。
【００４４】
そしてそのプレビュー画面でスルー画像と前回の撮影により得られた縮小画像、双方をユーザが確認しながら、前回の撮影により得られた画像に、スルー画像を多重するかどうかがユーザにより判定される。プレビュー画面に表示されたスルー画像が前回の撮影により得られた画像に多重されると自分の求めている画像になると判定されたときには、実行キー１０６ａが押されて、記録メディア１３０にスルー画像が前回の撮影により得られた画像に多重され、記録される。ここでプレビュー画面に表示されたスルー画像が、前回の撮影で得られた画像に多重されると自分の求めている画像とは異なると判定された場合には、キャンセルキー１０６ｂが押され、次のスルー画像を表示するための処理が行われる。
【００４５】
以上が本実施形態のデジタルカメラ１００で撮影が行われるときに記録メディア１３０に記録されるまでの画像データの流れである。
【００４６】
次に本実施形態のデジタルカメラ１００で行なわれる多重露光中に表示される画像を説明する。
【００４７】
本実施形態のデジタルカメラ１００では表示画面１０５ａで表示されるスルー画像の一部に過去に撮影した画像が重ねられて被写体像が表示される。
【００４８】
図３は多重露光モードが選択され、スルー画像１とスルー画像２が合成されるときの概念を示す図である。図３（ａ）は多重露光モードが選択され、スルー画像１が表示されているときの状態を示す図であり、また図３（ｂ）は図３（ａ）の状態からレリーズ釦１０９が半押しされ、スタンバイ状態に遷移したときの状態を示す図であり、また図３（ｃ）は図３（ｂ）の状態から多重露光される画像が確認されるプレビュー画面に遷移したことを示す図である。図３（ｄ）〜図３（ｆ）はスルー画像２の場合の、図３（ａ）から図３（ｃ）までの同様の状態遷移を示した図であり、図３（ｇ）は多重露光された合成画像を示す図である。
【００４９】
まず、多重露光モードがＬＣＤ画面１０５ａに表示される選択メニューで選択される。ＬＣＤ画面１０５ａには図３（ａ）に示すスルー画像１が表示されているので、多重露光モードの処理においてはレリーズ釦１０９が半押しされるとスタンバイ状態へ処理状態が遷移する。ここでレリーズ釦１０９が全押しされるとプレビュー画面としてプレビュー１が表示されるようになっている。
【００５０】
レリーズ釦１０９が全押しされてプレビュー画面１にスルー画像１が表示されたら、次のスルー画像２の処理が行われる。プレビュー画面１に表示されたスルー画像１をあらわす画像データは所定の操作に応じてＤＳＰ１１２内の記憶部に記憶される。
【００５１】
そして次にスルー画像２の処理が行われる。ここでもレリーズ釦１０９が半押しされてスタンバイ２状態に遷移した後でレリーズ釦１０９が全押しされると、プレビュー画面としてプレビュー２が表示される。このときにはプレビュー２ではスルー画像２とスルー画像１をあらわす画像データが縮小された画像とが合成され、その合成画像が表示画面に表示される。ここではＤＳＰ１１２内の画像信号処理部ではスルー画像１をあらわす画像データを縮小する処理が行なわれて、スルー画像２をあらわす画像データの一部がその縮小されたスルー画像１の縮小画像に置換された画像データがＬＣＤ１０５には供給されている。
【００５２】
このプレビュー画面表示中に各種操作キーの操作が行われると、図３（ｇ）に示す合成画像が記録メディアたとえばカードに記録されるとか、記録されないといったことが決定される。
【００５３】
ここで、ＤＳＰで行われる多重露光モードの処理を図４を参照して説明する。
【００５４】
図４はＤＳＰで行われる多重露光モードの処理の手順を示すフローチャートである。
【００５５】
まず、選択メニューで多重露光モードが選択されると、ステップＳ４０１で多重露光モードのプロセスが起動される。そして次のステップＳ４０２でスルー画像表示が行われる。このときにレリーズ釦１０９が半押しされてスタンバイ状態に遷移した後でレリーズ釦１０９が全押しされると、ステップＳ４０３でＹｅｓと判定され、多重露光処理が開始される。ここで全押しされなければ、ステップＳ４０３でＮｏと判定されてステップへ戻り、次のスルー画像が表示される。
【００５６】
ステップＳ４０３でＹｅｓと判定されて次のステップＳ４０４の処理が行われると、多重露光される画像がどのようなものであるかが確認されるプレビュー画面が表示される。このプレビュー画面が表示されているときには以下のステップＳ４０５〜Ｓ４０８の処理が行われる。ここでは多重露光された画像は、まだ記録されずに左キー１０７４、右キー１０７２、キャンセルキー１０６ｂといった操作キーに基づいて自分の求めている画像が作成されるようにいろいろな処理が行われる。なお、実行キー１０６ａは多重露光撮影の終了を、ＣＰＵ１１１に知らせる操作キーとして使用される。
【００５７】
プレビュー画面が表示されているときに、十字キー１０７１〜１０７４の中の左キー１０７４が操作されると、前回の撮影により得られた、縮小画像で表示されている撮影画像が廃棄されるかどうかが決められる。この左キー１０７４が操作され、Ｙｅｓと判定されたら、ステップＳ４０９で前回までの撮影で得られた撮影画像が廃棄される。つまり、前回までの撮影で得られた画像が廃棄され、ステップＳ４０２に戻り、新たな多重露光撮影が開始され、次のスルー画像が表示される。
【００５８】
ここで左キー１０７４が操作されなければステップＳ４０５でＮｏと判定されて今度はキャンセルキー１０６ｂが押されたかどうかの判定が行われる。ここでキャンセルキー１０６ｂが操作されると、そのときにプレビュー画面に表示されているスルー画像が廃棄されるかどうかの判定が行われる。ここでキャンセルキー１０６ｂが操作されたら、ステップＳ４１０でプレビュー画面に表示されたスルー画像が廃棄され、ステップＳ４０２へと戻され、前回までの撮影画像が残されたまま次のスルー画像表示が行われる。キャンセルキー１０６ｂが操作されなければステップＳ４０６でＮｏと判定され、次のステップＳ４０７の処理へと進められる。
【００５９】
このステップＳ４０７では、右キー１０７２の操作により多重露光モードで次回の撮影に移るかどうかが決められる。ここで右キー１０７２が操作されたらＹｅｓと判定され、ステップＳ４１１で次回撮影に備え、スルー画像と前回までの撮影画像が合成されてＤＳＰ１１２内の記憶部へ一旦、記憶される。この記憶された画像は次回の撮影のときには縮小され、スルー画像に重ねられ、表示される。
【００６０】
ここで右キー１０７２が操作されなかったら、次のステップＳ４０８へと移行し、カードに保存するかどうかが実行キー１０６ａの操作により決められる。このステップＳ４０８で実行キー１０６ｂが操作されたら記録メディア１３０たとえばカードに、実行キー１０６ａが押されたときのスルー画像と前回の撮影により得られた画像が合成されて記録メディアに保存され、多重露光モードでの撮影が終了する。ここでも実行キー１０６ｂが操作されなかったら、ステップＳ４０５へと戻され、前述したステップＳ４０５〜ステップＳ４０８が繰り返される。この一連の多重露光処理では、ステップＳ４０３でレリーズ釦１０９が半押し状態から全押し状態になり、多重露光撮影が確定し、プレビュー画面が表示されたら、実行キー１０６ａ、キャンセルキー１０６ｂ、右キー１０７２、左キー１０７４のいずれかが操作されてそれらのキーのいずれかのキーに対応する処理が行われるようになっている。実行キー１０６ａ以外の操作キーがいずれか操作されている状況下では、異なるスルー画像が次々と表示画面に表示され、様々な多重露光画像が得られるように新たなスルー画像が次々に表示される。したがって、自分の求めている画像を操作キーの操作に応じて思いのままに作成することができる。また、自分の求めている画像とは異なる場合には十字キーの左キーあるいはキャンセルキーといった操作キーを操作すれば、前回の撮影により得られた撮影画像の廃棄あるいはスルー画像と前回の撮影により得られた画像双方の廃棄を行なうことができる。
【００６１】
図５は本発明のデジタルカメラの第２の実施形態を示す図である。
【００６２】
図５（ａ）はスルー画像を示す図であり、図５（ｂ）は前回の撮影により得られた画像を示す図であり、また図５（ｃ）はスルー画像と前回の撮影により得られた画像とが多重露光され、合成されたときの画像を示す図である。
【００６３】
図５に示した処理は、図１に示したデジタルカメラと同様の外観を持ち、信号処理部の構成も図２と同様の構成を有したデジタルカメラで行なわれている。ここではＣＰＵの処理手順を示すＦＬＡＳＨＲＯＭ内に格納されたプログラムが若干変更されており、またＤＳＰ内の画像信号処理部の処理が若干変更されている。さらに第１の実施例では、実行キーやキャンセルキーといったカメラボディに設けられた操作キーにより操作が行われたが、第２の実施例ではレリーズ釦が半押し状態にあるときには合成画像の表示が行われ、全押し状態にあるときには合成画像の記録が行われる。
【００６４】
図５には図５（ａ）に示すスルー画像と図５（ｂ）に示す前回の撮影により得られた画像とが所定の間隔ごとに交互に表示される例が示されている。
【００６５】
図３に示した第１の実施形態では前回の撮影により得られた画像の縮小画像がルー画像の一部に置換された合成画像の表示が行なわれたが、第２の実施形態ではスルー画像と前回の撮影により得られた画像とが所定の間隔ごとに交互に表示される。
【００６６】
第２の実施形態のデジタルカメラでもＣＰＵ１１１によりレリーズ釦１０９の半押し状態と全押し状態とが識別され、これら二つの状態が異なる状態として認識されるようになっている。メニュー画面により多重露光モードが選択されてレリーズ釦１０９が半押し状態であれば、スルー画像と前回の撮影により得られた撮影画像とが交互に表示が行われ、レリーズ釦が全押しされれば多重露光での撮影指示がＣＰＵ１１１に伝えられ、ＣＰＵ１１１の指示に基づいてＤＳＰ１１２では多重露光が行なわれる。
【００６７】
この所定の間隔ごとに交互に表示が行なわれるときの時間間隔は、ほぼ１秒程度が妥当であるが可能な限り短い間隔でも良い。また、視角的に双方の画像が重ねられて見える時間間隔であれば、少々長くても良い。このときには前回の撮影により得られた画像を表す画像データとスルー画像を表す画像データとがＤＳＰ１１２からＬＣＤ１０５に交互に出力され、ＬＣＤではその画像データを交互に受け取り、それらの画像データに基づいてＬＣＤ１０５のＬＣＤ画面１０５ａ上に被写体像が交互に表示される。このようにＤＳＰ１１２から双方の画像データが出力され、双方の画像データに基づく被写体像がＬＣＤ画面に交互に表示されているときには、ＣＰＵ１１１あるいはＤＳＰ１１２からＬＣＤ１０５に向けてフレーミング枠の表示指示も出されている。このＣＰＵあるいはＤＳＰ１１２からＬＣＤ１０５に対し、適当な輝度を持った縦横の線からなるベストフレーミング枠を表示するような指示が出されたら、この指示を受けてＬＣＤ画面１０５ａでは縦横の線からなるベストフレーミング枠１０５１ａが多重露光される画像に重ねられて表示される。このように交互に表示されている画像に重ねて縦横の線からなるフレーミング枠１０５１ａが表示されると、多重露光モードでの合成写真の出来栄えがユーザにより一層鮮明に認識される。この認識された画像が自分の求めているものである場合にはレリーズ釦の全押しが行なわれ、図５（ｃ）に示した合成画像がＤＳＰ内の記憶部に記憶される。そしてこの記憶部に記録された画像と次のスルー画像とが表示画面に表示される。以降同じ操作が繰り返される。そして多重露光モードを終了するときには、たとえば実行キーあるいはキャンセルキーといった操作キーが押され、記録メディア１３０に記録される。
【００６８】
図５（ｃ）には多重露光された画像が示されているとともに、図５（ａ）に示すスルー画像と図５（ｂ）に示す前回の撮影により得られた画像とが交互に表示されているときに、ユーザには多重されたように見えることが示されている。このように多重露光される画像に、さらに縦横の線からフレーミング枠が表示されるようにすると、より的確にユーザに多重露光される画像がどのようなものであるかが認識される。
【００６９】
なお、上記第２の実施形態ではレリーズ釦の半押し操作を行って交互に表示させて全押し操作を行って多重露光を行なわせたが、本発明はこれに拠らず、操作子を別途設け、その操作子の操作に応じてＬＣＤ画面に交互に画像を表示させるようにしても良い。
【００７０】
以上説明したように本発明のデジタルカメラによれば、ＬＣＤ画面に多重露光される合成画像が予め、表示されるのでやり直しをせずとも自分の求めている画像かどうかが予め確認されるという効果がある。
【００７１】
また、操作キーを操作することにより、多重露光される画像の記憶、廃棄といったものも行うことができるので簡単な操作で、より一層自分の求めている合成画像が得られるという効果がある。
【００７２】
さらにフレーミング枠が表示されるので、このフレーミング枠が基準になり、前回の撮影により得られた画像に、カメラが向けられる方向で得られるスルー画像がどのようにして重ねられるかが一目でユーザに認識されるという効果もある。
【００７３】
なお、本発明ではスルー画像を前回の撮影により得られた撮影画像に重ねる場合の例を説明をしてきたが、本発明はこれに拠らず、既に取り込まれた画像データにスルー画像を重ね合わせることも可能である。
【００７４】
また、前回の撮影により得られた画像を縮小して表示する場合、十字キーのいずれかを操作することにより縮小画像が表示される位置を移動させることも、表示キーの２度押しをすることにより画像サイズ変更モードに入り、縮小される画像のサイズを変更したりすることも可能である。
【００７５】
【発明の効果】
以上、説明したように、本発明のカメラによれば、やり直し、撮りなおしをせずに、予め、多重露光される合成画像のフレーミングを行うことができるデジタルカメラを提供することができる。
【図面の簡単な説明】
【図１】本発明の一実施形態であるデジタルカメラの外観図である。
【図２】図１のデジタルカメラ内に配備される信号処理部の構成ブロック図である。
【図３】第１の実施形態のデジタルカメラで行われる多重露光モード時の画面表示の例である。
【図４】第２の実施形態のデジタルカメラのプレビュー画面の表示例である。
【図５】第２の実施形態のデジタルカメラで行われるプレビュー画面の表示例である。
【符号の説明】
１００　　デジタルカメラ
１０１　　撮影レンズ
１０２　　パワースイッチ
１０３　　モード選択レバー
１０４　　閃光発光部
１０４ａ　　閃光発光装置
１０５　　ＬＣＤ
１０５ａ　　ＬＣＤ画面
１０６ａ　　実行キー
１０６ｂ　　キャンセルキー
１０７　　十字キー
１０７１　上キー
１０７２　右キー
１０７３　下キー
１０７４　左キー
１０８　　閃光発光装置のポップアップスイッチ
１０９　　レリーズ釦
１１０　　ＣＣＤ固体撮像素子
１１１　　ＣＰＵ
１１２　　ＤＳＰ
１１３　　ＳＤＲＡＭ
１１４　　ＦＬＡＳＨＲＯＭ
１１５　　各種スイッチ
１１６　　タイミングジェネレータ
１１７　　フォーカスレンズ駆動用のドライバ
１１８　　フォーカスレンズ
１１９　　ＣＤＳおよびＡ／Ｄ変換部
１２０　　Ｉ／Ｆ
１３０　　記録メディア
１４０　　ＡＵＤＩＯＩ／Ｆ
【図１】
2004023165.tif 000003
【図２】
2004023165.tif 000004
【図３】
2004023165.tif 000005
【図４】
2004023165.tif 000006
【図５】
2004023165.tif 000007